(57)【要約】      （修正有）【課題】激震にも耐え、振動にも耐えられ、家庭に配備する家具の倒れや、移動を防ぐ転倒防止具を提供する。【解決手段】板状金属材料（非鉄金属）からなる、第一垂直板１と第二垂直板２は側辺を介して、Ｌ字状に連設して、第一垂直板１の下辺に第一水平板３を外側に向かって垂直に連設し、第二垂直板２の下辺に、第二水平板４を外側に向かって垂直に連設した第一垂直板１と第一水平板３の連設部にリブ８があり第二垂直板２と第二水平板４の連設部にリブ７がある、第一垂直板１と第二垂直板２第一水平板３と第二水平板４の裏面に粘着テープを装着し四面に任意の穴を開けまた第一垂直板１と第二垂直板２を家具の面に対して長手方向に延ばし第一垂直板第二垂直板は家具に固定し第一水平板３第二水平板４は床と壁に固定し転倒を防止する。【選択図】図１
0003164336.tif 000002
【実用新案登録請求の範囲】
【請求項１】
板状金属材料（非鉄金属）からなる、
第一垂直板１と第二垂直板２は側辺をかいして、Ｌ字状に連設して、第一垂直板１の下辺に第一水平板３を外側に向かって、垂直に連設し、
第二垂直板２の下辺に第二水平板４を外側に向かって、垂直に連設し、
第一垂直板１と第一水平板３の連設部にリブ８があり、第二垂直板２と第二水平板４の連設部にリブ７があり、第一垂直板１と第二垂直板２、第一水平板３、第二水平板４の裏面に粘着テ−プＤを装着し、四面に２か所ずつ穴１１、１１、２１、２１、３１、３１，４１、４１，を開け、第一垂直板１、第二垂直板２を家具Ｃに固定し、第一水平板３、第二水平板４を床Ａ，壁Ｂに固定した転倒防止具。
【請求項２】
請求項１において、第一垂直板１及び第二垂直板２を家具Ｃの面に対して、長手方向に延ばした事を特徴とする転倒防止具。
【考案の詳細な説明】
【技術分野】
【０００１】    この考案は、とっさに起こる地震の揺れで家具の転倒や移動を防ぐ為の転倒防止具として使用される。
【背景技術】
【０００２】従来の技術は、天井と家具の上面において支柱の長さと調整し一方端面を家具の上面に押し当て固定し突っ張り棒式で地震の揺れを防止する用具がある家具転倒防止具である。【０００３】他は家具転倒防止具であって家具上面と天井との間に設置する用具で、発泡樹脂からなり水平に圧縮シ−トをはる事によって地震の震動の揺れを防ぐ防止用具もある【０００４】板状金属であり、逆Ｌ字状になる金具は地震時に起きる揺れから家庭の配備する家具の倒れや移動を防ぐ為の使い易く、衝撃に耐える転倒防止具もある
【特許文献】
【０００５】
【特許文献１】  特許開平０８−２２８８６９号公報
【特許文献２】  実用新案登録第３１３７２０３号公報
【特許文献３】  実用新案登録第３１１７８８３号公報
【考案の概要】
【考案が解決しようとする課題】
【０００６】上述のような案では家具と柱を支えている突っ張り棒式など地震が来た時比較的揺れが小さいと、上下の震動に耐えられるが激震により、上下、左右、変則な揺れで、家具と天井を支えている支柱がずれ落ちたり、また支柱が押され、折れたりで防災の役目をはたせなくなる。【０００７】また上術のような案では家具と天井の高さの違いで低ければ地震が来た時にある程度の激震に耐えれるかもしれないが、家具と天井が２倍近くそれ以上開きの時は上下、左右それぞれに激震に耐えられない、また樹脂で出来ているので振動で割れてしまう恐れがある【０００８】逆Ｌ字型の転倒防止金具の案では比較的小さい地震の揺れには耐えられるかも知れないが大きな揺れが来た時は家具の上面にも金具を固定しない限り家具が倒れ転倒防止の役目を果たせなくなる。
【課題を解決するための手段】
【０００９】本考案は課題を解決する為に、請求項１で述べる様に、
第一垂直板１と第二垂直板２は側辺を介してＬ字状に連設して第一垂直板１を外側に向かって垂直に連設し、第二垂直板２の下辺に第二水平板４を外側に向かって垂直に連接し、第一垂直板１と第一水平板３の連設部にリブ８があり、
第二垂直板２と第二水平板４の連設部にリブ７がある
第一垂直板１と第二垂直板２と第一水平板３、第二水平板４の裏面に粘着テープＤを装着する４か所の面に任意で穴を開け、第一垂直板１、第二垂直板２を家具Ｃに固定し第一水平板３、第二水平板４を床Ａ，壁Ｂに固定することで地震での家具Ｃの倒れを回避可能にした転倒防止具【００１０】また床面Ａのみではさらに大きな地震が来た時請求項２のような第一垂直板１と第二垂直板２を家具Ｃの面に対して長手方向に延ばし第一水平板３、第二水平板４を壁Ｂに固定、第一垂直板５、第二垂直板６を家具Ｃに固定して地震の時の横揺れに対応するよう回避可能にした転倒防止具。
【考案の効果】
【００１１】地震の揺れに対応し、安全確保ができ、なおかつ、補助的でもあり金具本体も補強になり裏面に粘着テ−プＤをはることにより固定力が増し垂直面、水平面おのうのには、リブを付けそれぞれ面に穴を開けボルトで補強する事により、尚一層家具の転倒防止を防ぐ事ができる。
【図面の簡単な説明】
【００１２】
【図１】図３を上から見た平面図
【図２】図３を正面から見た正面図
【図３】代表図で使用状態図
【図４】図３を上から見た平面図
【考案を実施するための形態】
【００１３】以下図示の実施例に基ずいて本考案を詳細に説明する。図１は  上から見た平面図で図３におけるａｂで金具の裏面に粘着テ−プＤを張り床Ａに第一水平板３と第二水平板４を垂直に装着し、家具Ｃに第二垂直板２と第一垂直板１を固定した転倒防止具の斜視図である。
【００１４】図２は正面から見た図で、図３のａ，ｂと同様でとっさの時の地震の揺れを小さくする転倒防止具の斜視図である。
【００１５】図３は代表図で全体から見た使用状態図である。  ａは第一垂直板１と第二垂直板２は側辺をかいしてＬ字状に連設して第二垂直板２の下辺に第二水平板４を外側に向かって垂直に連設し、第一垂直板１の下辺に第一水平板３を外側に向かって垂直に連設し，第一垂直板１と第一水平板３の連設部にリブ８があり、第二垂直板２第二水平板４の連設部にリブ７があり、第一垂直板１と第二垂直板２，第一水平板３第二水平板４の裏面に粘着テ−プＤを装着し、四面に穴を開け第一垂直板１、、第二垂直板２を家具Ｃに固定し第一水平板３、第二水平板４を床Ａに固定する  図３のｂはａの対称図で地震時の横揺れに対応可能にした。
【００１６】図３におけるｃは上方から見た図で裏面に粘着テ−プＤを張り第一垂直板５、第二垂直板６を家具Ｃに固定し、第一水平板３、第二水平板４を壁Ｂに固定して地震の時の横揺れや倒れを回避可能にした。
【００１７】図４は図３におけるｃを上方から見た図である。粘着テ−プＤを裏面に装着し第二垂直板６第二水平板４の連設部にリブ７、第一垂直板５第一水平板３の連設部にリブ８を付け面には任意の穴を開け第一垂直板５、第二垂直板６を家具Ｄに固定し第一水平板３．第二水平板４を壁Ｂに固定した。
【実施例】
【００１８】本実施例は金属板（非鉄金属）をプレス成型で四角形状に、その中央に任意の巾で、切れ込みを入れ、尚且つコ−ナ−にＲを施し、Ｌ字形状に曲げ、２か所でそれを円弧形状に連結する。単純なようでいて見た目にもよく、又厚みも薄くしてそれでいて強度を増している。表面のＬ字形状の下部には、リブを施し曲がりも、耐えるように強度をつけ表面には、それぞれ、任意の穴を開け、ボルト留めした。裏面には、両面粘着テ−プＤを張り付け、家具Ｃ、床Ａ、壁Ｂに接触可能にした事を特徴とする転倒防止具である。
【産業上の利用可能性】
【００１９】
【符号の説明】
【００２０】Ａ  床
Ｂ  壁
Ｃ  家具
Ｄ  両面粘着テ−プ
ａ  家具転倒防止具
ｂ  家具転倒防止具
ｃ  家具転倒防止具
ｄ  家具転倒防止具
１  第一垂直板
２  第二垂直板
３  第一水平板
４  第二水平板
５  第一垂直板
６  第二垂直板
７  リブ
８  リブ
穴  １１，１１，２１，２１，３１，３１，４１，４１
【図１】
0003164336.tif 000003
【図２】
0003164336.tif 000004
【図３】
0003164336.tif 000005
【図４】
0003164336.tif 000006